(57)【特許請求の範囲】
【請求項１】
外部に向けて開口する吸込口及び吹出口が形成され、該吸込口と該吹出口を連通する通
風路を有する本体ケースと、
前記本体ケースに内蔵され、前記吸込口から前記吹出口に至る前記通風路に室内空気を
導入する送風手段と、
前記通風路に設けられ、導入された空気が通過可能な脱臭エレメントと、
前記脱臭エレメントを加熱することで前記脱臭エレメントの脱臭機能を回復させるため
の加熱ユニットと、
前記加熱ユニットと前記脱臭エレメントの相対的位置関係を変更する位置変更手段と、
前記送風手段と前記加熱手段と前記位置変更手段の通電と動作を制御する制御手段と、
を備え、
前記制御手段は、前記加熱ユニットの加熱動作を開始させてから、前記脱臭エレメントを、脱臭性能の回復に必要な温度に昇温させるまでの間に、１ないし複数回、前記加熱ユニットの通電を停止させることを特徴とする空気清浄機。
【請求項２】
前記制御手段は、前記加熱ユニットの通電を停止させた際に、前記加熱ユニットの温度
を検出することを特徴とする請求項１記載の空気清浄機。
【請求項３】
前記制御手段は、前記加熱ユニットの通電を一時的に停止させた際に検出した温度に基
づき、加熱ユニットへの通電続行可否を判定することを特徴とする請求項２記載の空気清
浄機。
【請求項４】
前記制御手段は、前記加熱ユニットを停止させている間は前記送風手段を停止させるこ
とを特徴とする請求項１〜３記載の空気清浄機。
【請求項５】
前記制御手段は、前記脱臭エレメントの脱臭性能の回復に必要な温度に到達以降、前記
送風手段を停止させることを特徴とする請求項１〜３記載の空気清浄機。
【請求項６】
前記制御手段は、前記脱臭エレメントの脱臭性能の回復に必要な温度に到達以降、前記送
風手段を停止させたのち、再稼動することを特徴とする請求項１〜３記載の空気清浄機。
【請求項７】
前記制御手段は、前記制御手段を制御するためのプログラムを内蔵していることを特徴
とする請求項１〜６に記載の空気清浄機。
【請求項８】
前記制御プログラムは、前記位置変更手段を所定のタイミングで駆動して前記脱臭エレ
メントを所定の回転角度だけ回動した後停止させ、その停止状態で前記加熱ユニットを所
定時間通電する処理ステップを有することを特徴とする請求項１〜７に記載の空気清浄機
。
【請求項９】
前記脱臭エレメントは、アンモニアを吸着し、かつ、加熱によりアンモニアを酸化分解
する触媒を表面に塗布又は含浸させていることを特徴とする請求項１〜８に記載の空気清
浄機。
【発明の詳細な説明】
【技術分野】
【０００１】
本発明は、送風装置により本体内部へと吸込んだ室内空気を、脱臭部に通すことで空気中の臭気成分を取り除き、室内空気の脱臭を行う空気清浄機に関する。
【背景技術】
【０００２】
従来から、本体ケースと、この本体ケースの前面に形成された空気吸込口と、本体ケースの上面後部に形成された空気吹出口と、本体ケース内に設けられ、空気吸込口から空気を吸い込んで空気吹出口へ吹き出すためのファンと、このファンを駆動するためのファンモータと、ファンの上流側に設けられ、吸い込まれた空気中の塵埃を捕集するための集塵フィルターとを備え、空気吹出口の近傍に、臭気成分を吸着するための吸着材の表面に触媒を添着してなる脱臭部と、この脱臭部の脱臭機能を回復するために加熱する加熱部を有する空気清浄機がある。
【０００３】
このような空気清浄機は、ファンを駆動することにより、空気吸込口から本体ケース内部に室内空気を取り込み、集塵フィルターにて塵埃を除去した後、消臭部に流下した室内空気中の臭気成分が、消臭部の吸着材に吸着することにより、室内空気の脱臭を行う。
そして、臭気を吸着した脱臭部の吸着材は、加熱部により加熱されることで、臭気成分が除去されて、脱臭機能を回復させることができる（例えば、特許文献１）。
【先行技術文献】
【特許文献】
【０００４】
【特許文献１】特開２００１−３８１２６号公報
【発明の概要】
【発明が解決しようとする課題】
【０００５】
しかしながら、先行技術文献に記載の空気清浄機は、本体ケースの上面後部に形成された空気吹出口の近傍に、臭気成分を吸着するための吸着材を有する脱臭部を設けることから、大変狭い限られた領域に脱臭部を配置する必要があり、より脱臭性能の高い脱臭容量の大きい臭気の吸着材を用いることが困難である。
従って、このような構造では、脱臭部に室内空気を通過させても、一度に大幅に臭気を除去することが困難であることから、人が室内空気の臭気が減少したと感じることができるようになるまで、長い時間の間、空気清浄機を運転する必要がある。
【０００６】
また、空気吹出口は空気吸込口より開口面積が大変小さいことから、空気吹出口及びこの空気吹出口の近傍に設けられた消臭部を流れる空気の流速は、空気吸込口付近を流れる空気の流速に比べて速くなる。
従って、このような構造では、消臭部を流れる室内空気に含まれた臭気を吸着材が十分に吸着しきれない状態で、空気清浄機から室内へと空気が排出されることになり、人が室内空気の臭気が減少したと感じることができるまで、長い時間の間、空気清浄機を運転する必要がある。
【０００７】
更に、吸着材を加熱することにより吸着材に吸着された臭気を除去する加熱部であるヒーターは、吸着材に対して固定して設けられているので、ヒーターと吸着材の距離が、近接した部分と離れた部分が形成される。
これにより、ヒーターに近い吸着材の部位は、効率よく加熱することがでるので臭気を除去できるが、ヒーターから離れた吸着材の部位は、ヒーターからの熱が効率よく伝わらない恐れがあり、確実に臭気を除去しきれない可能性がある。
【０００８】
吸着剤には物性の異なる多成分の物質が吸着することが想定される。吸着剤を加熱することにより吸着剤に吸着された臭気成分を除去する際、それぞれの物質に対し、効率的に除去するための適した温度域がある。
効率的な再生のためには上記温度域の上限以下に加熱温度を制御する必要があるが、上記上限温度を超えると急激な温度上昇を伴う反応を生じる可能性があるため、全ての物質の上限温度以下で加熱再生する従来の制御においては、吸着剤の吸着物を充分に回復させることができず、空気清浄機において吸着剤の機能を効率よく回復することができないという課題がある。
【０００９】
本発明は、上記のような問題点を解決するためになされたものであり、効率よく室内空気の臭気を減少させることができ、また、吸着剤の機能を効率良く回復することが可能な空気清浄機を提供することを目的とする。
【課題を解決するための手段】
【００１０】
上記の課題を解決する為に、外部に向けて開口する吸込口及び吹出口が形成され、該吸込口と該吹出口を連通する通風路を有する本体ケースと、前記本体ケースに内蔵され、前記吸込口から前記吹出口に至る前記通風路に室内空気を導入する送風手段と、前記通風路に設けられ、導入された空気が通過可能な脱臭エレメントと、前記脱臭エレメントを加熱することで前記脱臭エレメントの脱臭機能を回復させるための加熱ユニットと、該加熱ユニットと前記脱臭エレメントの相対的位置関係を変更する位置変更手段と、前記送風手段と前記加熱手段と前記位置変更手段の通電と動作を制御する制御手段と、を備え、前記制御手段は、前記脱臭エレメントの脱臭性能の回復に必要な温度に昇温させるまでの間に、１ないし複数回、前記加熱ユニットの通電を停止させるように構成すれば良い。
【発明の効果】
【００１１】
本発明によれば、より多くの室内空気を取り込み、効率良く室内空気の臭気を減少させることができる空気清浄機を提供することが可能となる。
【図面の簡単な説明】
【００１２】
【図１】（ａ）実施の形態１に係る空気清浄機Ａの正面図（ｂ）同空気清浄機Ａの上面図（ｃ）同空気清浄機Ａの側面図
【図２】図１に示す空気清浄機Ａの前パネル，プレフィルター，ＨＥＰＡフィルターが外れた状態を示す（ａ）正面図（ｂ）上面図（ｃ）側面図
【図３】図１に示す空気清浄機Ａの分解斜視図
【図４】図１に示す空気清浄機ＡのＹ−Ｙ縦断面図
【図５】（ａ）図１に示す空気清浄機Ａの前方から見た斜視図（ｂ）図１に示す空気清浄機Ａの後方から見た斜視図
【図６】図５（ａ）に示す空気清浄機Ａの前パネル，プレフィルター，ＨＥＰＡフィルターが外れた状態を示す斜視図
【図７】（ａ）実施の形態１に係る空気清浄機Ａの脱臭部を前方から見た斜視図（ｂ）脱臭部を後方から見た斜視図
【図８】図７（ｂ）に示す脱臭部の分解斜視図
【図９】（ａ）実施の形態１に係る空気清浄機Ａの加熱ユニットの裏面の平面図（ｂ）加熱ユニットのＺ−Ｚ断面図
【図１０】（ａ）図９に示す加熱ユニットの裏面の斜視図（ｂ）図９に示す加熱ユニットの表面の斜視図
【図１１】実施の形態１に係る脱臭エレメントの再生動作制御により実現される脱臭エレメントの温度特性を示す図
【図１２】実施の形態１に係る脱臭エレメントの再生動作フローチャート
【図１３】脱臭エレメントの低温、高温連続再生によるエタノールの除放効果
【図１４】実施の形態２に係る脱臭エレメントの再生動作制御
【図１５】実施の形態３に係る脱臭エレメントの再生動作制御
【発明を実施するための形態】
【００１３】
（実施の形態１）
以下、図面を参照して本発明の実施の形態１について説明する。
図１〜図６を参照すると、本実施の形態に係る空気清浄機Ａは、外郭を成す本体ケースＣと、この本体ケースＣに設けられる脱臭部６０などの各種機能部品により構成されている。
この本体ケースＣは、樹脂により形成された箱形状を成しており、前パネル１０と前ケース２０と後ケース４０などの複数の部品により構成されている。
【００１４】
前ケース２０は、正面視形状が長方形で、所定の奥行き幅がある枠状のフレーム２１が基体となり構成されている。このフレーム２１の前面には、長方形の前開口２２が形成されており、後面の開口は仕切板２３により覆われている。
そして、この仕切板２３には、後方に向いて開口する円形の後開口２４が形成されている。つまり、前ケース２０は、前開口２２と後開口２４とが連通した状態となっている。
尚、仕切板２３の後開口２４は、後述する送風ファン４４のファン開口４４ｄの周囲にベルマウスを形成している。
【００１５】
次に、前ケース２０のフレーム２１の下辺は、左右の２辺より前方に全体的に突出することで、下突出部２５が形成されている。
また、フレーム２１の上辺は、左右の２辺より前方に突出することで、上突出部２８が形成されており、上辺の上部の前側には、複数の操作ボタンや表示部を形成するＬＥＤなどからなる操作部２６が設けられている。
そして、この操作部２６に対応して、フレーム２１の上辺の上部内側には、これらの操作ボタンやＬＥＤが実装されている操作基板（図示せず）が設けられている。尚、この操作基板は、後述する制御部４７に電気的に接続されている。
【００１６】
次に、前パネル１０は、正面視形状が長方形で、前ケース２０の前開口２２を正面から覆うことが可能な形状に構成されている。
また、前パネル１０の前面に、左右方向に延びるスリットを形成することにより、前パネル１０の前後方向に連通する空気吸込口１１（以下、吸込口１１）が形成されている。つまり、前パネル１０は、前後方向に貫いて空気が流れることが可能なように、通気性が確保されている。
【００１７】
次に、後ケース４０は、正面視形状が長方形で、前面に前開口４１が開口し、上面に空気吹出口４２（以下、吹出口４２）となる開口が形成され、後面４３が閉鎖された箱型形状を成している。
そして、後面４３には、室内空気を空気清浄機内部に取り込むための送風手段である送風ファン４４と、この送風ファン４４から流下する空気を空気吹出口４２へと導く風路を形成するスワロール形状の仕切４５が設けられている。
【００１８】
また、仕切４５の下側で、後ケース４０と仕切４５で形成された空間には、空気清浄機Ａの各部を所定のプログラムに基づき制御する制御部４７が設けられている。
更に、後ケース４０の内側の上部であって、吹出口４２の近傍には、空気吹出口４２から室内に向けて吹き出す空気の風向を変えたり、空気吹出口４２を閉じたりするルーバー４６が設けられている。
尚、吹出口４２の開口部分は、ルーバー４６を直接触れられないように、格子が取付けられている。
【００１９】
次に、送風ファン４４は、回転方向に対して、所定の幅を有する多数の羽が取付けられた多翼の羽を用いた多翼式ファン（シロッコファン）を用いている。つまり、送風ファン４４は、回転軸から所定の半径の位置に多数の羽４４ａが位置している。
そして、送風ファン４４は、羽４４ａを回転駆動させるモーター４４ｂが、回転軸４４ｃの向きが前方を向き、水平方向に伸びるように、後ケース４０の後面４３に取付けられている。
【００２０】
また、周囲を羽４４ａに囲まれたファン開口４４ｄは、前方に向けて開口している。
このように送風ファン４４を後ケース４０に取付けることで、送風ファン４４は、回転軸４４ｃの軸方向である前方を向くファン開口４４ｄから空気を吸込み、送風ファン４４の上方を含む、送風ファン４４の径方向に空気を吐き出す。
【００２１】
次に、仕切板４５は、送風ファン４４の周囲を囲むように、後ケース４０の後面４３から略垂直に立設しており、一端を空気吹出口４２の右端４２ａ、他端を空気吹出口４２の左端４２ｂへと接続している。
つまり仕切板４５は、送風ファン４４の周囲を囲み、端部が空気吹出口４２と接続するように袋状となるように後ケース４０に配置されている。
【００２２】
ルーバー４６は、複数の板状の風向板４６ａと、この複数の風向板４６ａをそれぞれ繋いで風向板４６ａを所定の角度に動かすリンク機構４６ｃと、このリンク機構４６ｃを動かすモーターなどの駆動部（図示せず）から構成されている。
そして、ルーバー４６は、複数の板状の風向板４６ａが、空気吹出口４２の開口に所定の間隔を空けて、それぞれ平行となるように並んで配置されており、それぞれの風向板４６ａは、この風向板４６ａの両端に形成された軸４６ｄで、空気吹出口４２に軸支されている。
【００２３】
尚、リンク機構４６ａを動かす駆動部は、後述する制御部４７に接続されており、空気清浄機Ａの状態に応じて、所定のプログラムで駆動されるものであり、これにより、ルーバー４６の向きが変更される。
【００２４】
次に、図７〜図８を参照すると、脱臭部６０は、空気清浄機Ａの内部に取り込んだ室内空気を通過させることにより、空気内部から臭気を取り除く部位であり、各種部品が設けられる基体となる枠体６１と、脱臭エレメント６２と、この脱臭エレメント６２を局部的に加熱する加熱ユニット６３と、脱臭エレメント６２を動かして加熱ユニット６３と脱臭エレメントの対向する部位の相対的位置関係を変更する位置変更手段である駆動手段６４を有する。
【００２５】
まず、枠体６１は、正面視形状が長方形で、所定の奥行き幅がある枠状のフレームである。そして、枠体６１の外形は、前ケース２０の前開口２２の内部に嵌め込むことができる大きさである。
また、枠体６１の内部には、枠体６１の開口を遮るように（開口を前後に仕切るように）中仕切板６５が設けられている。
【００２６】
そして、中仕切板６５には、枠体６１の前後に連通する円形状の開口６５ａが形成されている。この開口６５ａの中心には、中央支持体６５ｂが位置し、この中央支持体６５ｂから放射状に開口６５ａの開口縁と繋がる梁部６５ｃが複数形成されている。また、中央支持体６５ｂには、後方に突出する軸６５ｊが設けられている。
また、開口６５ａの前側には、開口６５ａ内に空気が流入可能な枠６５ｈが設けられている。この枠６５ｈは、後述する脱臭エレメント６２に使用者が直接触れることを防止するためのものである。
【００２７】
更に、中仕切板６５の裏面（後面）には、開口６５ａを囲むように後方に向けて立設したリング状のガイド部６５ｅが形成されている。
このガイド部６５ｅの縁には、開口６５ａの内方に突出するように、後述する脱臭エレメント６２をこのガイド部６５ｅを取付けた際に、脱臭エレメント６２を受ける受部６５ｆが設けられている。
【００２８】
尚、ガイド部６５ｅは、円形状の開口６５ａの円形の開口縁の外側に位置している。つまり、開口６５ａの縁とガイド部６５ｅの間には、隙間ｒが形成される。また、ガイド部６５ｅが形成するリングの直径は、後述する各部が設けられた脱臭エレメント６２を内部に保持可能な程度の大きさである。
【００２９】
そして、中央仕切板６５の開口６５ａの中央支持体６５ｂの下方の領域であって、中央支持体６５ｂを中心に、左右に等しく広がる所定の開角により形成される扇形の領域は、扇形状の蓋体６５ｄにより覆われている。
尚、この蓋体６５ｄはステンレスにより形成されており、中仕切板６５の後面側（裏面側）から、梁部６５ｃにネジなどにより固定される。
【００３０】
また、蓋体６５ｄは、後述する加熱ユニット６３と対向して位置するように配置され、加熱ユニット６３のヒーターユニット６３ａと対向した状態において、ヒーターユニット６３ａを覆うことが可能な大きさとなっている。つまり、加熱ユニット６３と蓋体６５ｄとが対向することで、後述する脱臭エレメント６２の加熱空間を形成している。
尚、蓋体６５ｄには、熱放射率を向上させるための黒色の耐熱塗装が施されている。
【００３１】
次に、脱臭エレメント６２は、平面形状が円板形状であり、セラミック又はアルミニウムにより形成された蜂の巣の開口のように複数の開口が形成されたハニカムコアに、バインダーで触媒が塗布又は含浸されたものである。
尚、この触媒は、白金系やマンガンを用いたものなど、臭気成分（特に、アンモニア臭）を吸着、また加熱により臭気成分を酸化分解する性質を有する触媒を用いる。
【００３２】
また、脱臭エレメント６２の中心部には開口部６２ｃが形成され、前面には、脱臭エレメント６２を保持するステンレスにより形成されたエレメントフレーム６２ａが設けられている。
ここで、上記のように様に脱臭エレメント６２は、ハニカムコアにより形成され、前面に設けられたエレメントフレーム６２ａは所定の開口が形成されているので、脱臭エレメント６２の内部を前後方向に貫いて空気が流れることができる。
【００３３】
更に、脱臭エレメント６２の周縁には、脱臭エレメント６２を囲むように、ギア部６２ｂが設けられている。
このギア部６２ｂを含む脱臭エレメント６２の直径は、中仕切板６５に形成された円形状の開口６５ａの直径より大きくなるように構成されている。
【００３４】
次に、図９〜図１０を参照すると、加熱ユニット６３は、脱臭エレメント６２を加熱する加熱手段であるヒーターユニット６３ａと、このヒーターユニット６３ａを内部に収納する所定の内部空間を有するケース６３ｂから構成されている。
このヒーターユニット６３ａは、制御部４７に電気的に接続されており、空気清浄機Ａの状態に応じて通電制御されるものである。
【００３５】
また、ヒーターユニット６３ａは、板状の発熱部６３ｆと、この発熱部６３ｆを熱するヒーター部６３ｇから構成されている。更に、発熱部６３ｆの平面形状は扇形状を成しており、表面にはヒーター部６３ｆから受けた熱の放射率を向上させるための耐熱塗装（黒色）が施されている。
つまり、ヒーターユニット６３ａは、ヒーター部６３ｇで生じた熱を板状の発熱部６３ｆが受け、板面全体から熱を放射することにより、対向する脱臭エレメント６２をムラが少なく加熱する。
そして、ヒーターユニット６３ａは所定の時間通電された場合、ヒーターユニット６３ａから所定の隙間を介在して配置された脱臭エレメント６２に対向した部位を、脱臭エレメント６２に吸着した臭気を除去可能な所定の温度まで上昇させることができる加熱能力に設定してある。
【００３６】
尚、ヒーター６３ｇは、チタン酸バリウムを主成分とする半導体セラミックであるＰＴＣヒーターを用いている。
このＰＴＣヒーターは、自己温度制御性があり、外部からの温度制御を必要としないことから、サーモスタットのように断続的制御を行わないので安定して使用することができる。
【００３７】
次に、ケース６３ｂは、ヒーターユニット６３ａを内部に保持する凹部６３ｃと、この凹部６３ｃの開口周縁から広がるフランジ部６３ｄが形成されている。
凹部６３ｃは、ヒーターユニット６３ａの平面形状と一致した扇形状を成しており、内部にヒーターユニット６３ａを凹部６３ｃの開口に臨ませた状態でヒーターユニット６３ａが設けられている。フランジ部６３ｄには、加熱ユニット６３を所定の位置に取り付ける際に螺子を貫通させるための螺子穴６３ｅが形成されている。
以上のように構成される加熱ユニット６３は、平面形状がヒーターユニット６３ａの発熱部の形状に合わせて、扇形状に構成されており、凹部６３ｃの開口も扇形状に構成されている。
【００３８】
次に、図７を参照すると、駆動手段６４は、脱臭エレメント６２を動かして加熱ユニット６３と脱臭エレメントの対向する部位の相対的位置関係を変更する、つまり、加熱ユニット６３と対向する脱臭エレメント６２の部位を変更する位置変更手段である。
駆動手段６４は、モーター６４ａと、このモーター６４ａを保持するブラケット６４ｂからなる。モーター６４ａの回転軸には、ギアが取付けられている。また、モーター６４ａは、制御部４７に電気的に接続されており、空気清浄機Ａの状態に応じて通電制御されるものである。
【００３９】
図４及び図７〜図８を参照すると、以上の脱臭エレメント６２と加熱ユニット６３と駆動手段６４は、次のように枠体６１に取付けられることにより、脱臭部６０を構成する。尚、図７は、各部をわかりやすく表示するために、枠６５ｈを外した状態で示してある。
まず、枠体６１の裏面より、中央支持体６５ｂに設けられた軸６５ｊに、脱臭エレメント６２の開口部６２ｃが軸受となって回転自在に嵌り込む。
【００４０】
これにより、脱臭エレメント６２は、枠体６１の裏面（後面）に形成されているガイド部６５ｅの内部に、脱臭エレメント６２が開口６５ａに臨んだ状態（対面した状態）で、枠体６１に対して回転自在に配置される。
そして、この状態において、ガイド部６５ｅの縁に、開口６５ａの内方に突出するように、脱臭エレメント６２を受ける受部６５ｆが、脱臭エレメント６２の回転方向の動きを大きく阻害しない程度に、脱臭エレメント６２の後方（裏面）より保持する。
【００４１】
このように、脱臭エレメント６２が枠体６１に取付けられることで、脱臭エレメント６２は、中仕切板６５の開口６５ａに臨んだ状態で、中仕切板６５の裏面（隙間ｒ）と、ガイド部６５ｅと、受部６５ｆに囲まれた空間の内部に回転自在に保持される。
尚、中央支持体６５ｂに設けた軸６５ｊと脱臭エレメント６２の開口部６２ａを、上記のように軸と軸受の関係となるように構成しなくても、脱臭エレメント６２をガイド部６５ｅにより保持する構造でもよい。
【００４２】
次に、上記のように枠体６１に脱臭エレメント６２が配置された状態で、脱臭エレメント６２の一部を覆うように、枠体５１に加熱ユニット６３が次のように取付けられる。
まず、加熱ユニット６３は、脱臭エレメント６２の中心から下側の部位を跨いで脱臭エレメント６２の回転を妨げないように配置される。
この状態において、加熱ユニット６３のヒーターユニット６３ａが脱臭エレメント６２に直接近接して対向するように、ヒーターユニット６３ａが設けられた凹部６３ｃの開口が前方を向いている。
【００４３】
そして、加熱ユニット６３は、脱臭エレメント６２の開口部６２ｃに位置する中央支持体６５ｂと、脱臭エレメント６２の外側に位置する中仕切板６５に形成された取付け位置に螺子止めされる。
尚、この状態において、加熱ユニット６３と蓋体６５ｄは、脱臭エレメント６２を介して向かい合う位置関係となっている。
【００４４】
以上のように構成することにより、加熱ユニット６３は、脱臭エレメント６２の回転方向の動きを阻害することなく、枠体６１に固定される。
また、加熱ユニット６３と蓋体６５ｄが向かい合って枠体６１に配置されるので、加熱ユニット６３と蓋体６５ｄの間に脱臭エレメン６２を介在させた状態で、ヒーターユニット６３ａの熱を留める空間が形成される。更に、発熱部６３ｆは、熱の放射率を向上させる塗装が施されているので、ヒーター部６３ｇから受けた熱を効率よく放射する。
これにより、加熱ユニット６３は、対向する脱臭エレメント６２の部位を局所的に効率よく加熱することができるように構成されている。
【００４５】
次に、駆動手段６４は、モーター６４ａがブラケットに６４ｂに保持された状態で、ブラケット６４ｂが中仕切板６５に固定される。この時、モーター６４ａの回転軸に取付けられたギアは、脱臭エレメント６２に設けられたギア６２ｂと歯合している。
また、駆動手段６４の配置位置は、中仕切板６５の裏面であって、開口６５ａと中仕切板６５の角６５ｇに挟まれた部位である。更に、この駆動手段６４を設ける部位は、４つある角６５ｇの内、加熱ユニット６３から離れた上方に位置する角６５ｇと開口６５ａにより挟まれた部位であるとよい。
【００４６】
このように駆動手段６４を設けることにより、制御部４７による通電制御でモーター６４ａが駆動されることで、枠体５１に対して脱臭エレメント６２を回転させることが可能となり、脱臭エレメント６２の加熱ユニット６３と対向する部位を変更可能となる。
つまり、加熱ユニット６３と脱臭エレメント６２の相対的位置関係を変更可能とすることができる。
また、開口６５ａと角６５ｇに挟まれた位置に駆動部６４を設けたので、長方形の中仕切板６５に形成された開口６５ａの周囲のデットスペースを有効に利用できる。更に、加熱ユニット６３から離れた位置に駆動手段６４を設けたので、加熱ユニット６３から生じる熱の影響を駆動部６４が受けにくい構造とすることができる。
【００４７】
次に、以上のように各部が構成された前パネル１０と前ケース２０と後ケース４０と脱臭部６０は、次のように他の機能部品と共に組み立てられることで、空気清浄機Ａを構成する。
まず、後ケース４０は開口４１を前方に向けて、前ケース２０の後面に取付けられる。この時、後ケース４０に設けられた送風ファン４４の開口４４ｄは、前ケース２０に設けられた仕切板２３に形成された後開口２４と、対向した位置関係となっている。また、後開口２４の開口中心は、送風ファン４４の回転軸の軸心と、前後に一致している。
【００４８】
次に、脱臭部６０は、枠体６１が前ケース２０の前開口２２から前ケース２０の内部に挿入されて、枠体６１の外周が前ケース２０の内部に保持されることにより、前ケース２０に取付けられる。
このように脱臭部６０が前ケース２０に取付けられた状態において、脱臭部６０の後面側（加熱ユニット６３が取付けられている位置側）が、前ケース２０の後開口２４を向くように配置され、脱臭エレメント６２と後開口２４の間に、加熱ユニット６３が位置することになる。
【００４９】
ここで、脱臭エレメント６２と、送風ファン４４の開口４４ｄの周囲にベルマウスを形成する前ケース２０の仕切板２３及び後開口２４は、脱臭エレメント６２から後開口２４へと流れ空気の流れを妨げないために、所定の間隔Ｄを空けて対向している。
加熱ユニット６３は、このようにして形成された間隔Ｄの部位に位置している。
【００５０】
次に、前ケース２０に取付けられた脱臭部６０の枠体６１の内方には、枠体６１の開口と同程度の大きさであるＨＥＰＡフィルター１２が設けられ、このＨＥＰＡフィルター１２の前面を覆うようにプレフィルター１３が設けられる。
そして、プレフィルター１３の前面側に、前ケース２０の上突出部２８と下突出部２５に挟まれて、前パネル１０が設けられることで、空気清浄機Ａが構成される。
【００５１】
尚、ＨＥＰＡフィルター１２とは、空気中に含まれる花粉、ダニの糞、カビの胞子、ハウスダストなどの微細な塵埃を取り除くためのフィルターである。
また、プレフィルター１３とは、ＨＥＰＡフィルターで空気をろ過する前に、あらかじめ空気に含まれる大きな塵埃を取っておく目の粗いフィルターであり、ＨＥＰＡフィルターの効果を長期間保つ為のものである
【００５２】
次に、図４を参照すると、以上のように構成された空気清浄機Ａの内部には、室内空気を取り込み、この空気の清浄および脱臭を行い、室内へ放出する通風路Ｒが形成される。この風路Ｒについて、空気清浄機Ａの空気清浄運転状態と、内部に取り込まれた空気の流れに沿って説明する。
まず、使用者が操作部２６を操作することで、制御部４７に対して入力を行うことにより、空気清浄機Ａの運転を行う所定のプログラムが実行される。
【００５３】
上記の運転開始後、送風ファン４４が駆動し、空気吸込口１１から空気清浄機Ａの内部に室内空気を取り込む吸込み力が生じ、室内空気が空気吸込口１１へ流入する。
空気吸込口１１から取り込まれた空気は、空気清浄機Ａの内部を後方へと流れ、プレフィルター１３で大きな塵埃を取り除いた後、ＨＥＰＡフィルター１２で微細な塵埃を取り除く。
【００５４】
次に、塵埃が取り除かれた空気は、更に後方へと流れて脱臭部６０へ到達し、開口６５ａを通過して、この開口部６５ａに臨む位置に配置された脱臭エレメント６２に至る。この脱臭エレメント６２は、表面から裏面に至るハニカム形状の多数の開口が形成されており、表面に臭気を吸着する触媒が塗布されている。
【００５５】
従って、臭気を含んだ空気が、脱臭エレメント６２の表側から裏側へと通過する際に、ハニカム形状の開口を通過し、脱臭エレメント６２に塗布された触媒が、空気に含まれる臭気を吸着することにより、空気から臭気が取り除かれる。
尚、「空気から臭気が取り除かれる」とは、空気から完全に臭気が無くなる状態のみならず、空気の脱臭エレメント６２を通過する前の状態から臭気が減少した状態も含む。
ここで、上記のように空気清浄機Ａを運転し続けることにより、脱臭エレメント６２には、吸着した臭気が蓄積されていくことになり、吸着した臭気が増えるに従って、脱臭エレメント６２の脱臭能力が低下していく。
【００５６】
次に、塵埃と臭気が取り除かれた空気は、脱臭エレメント６２から更に後方に流れ、前ケース２０の仕切板２３に開口する後開口２４を通過して、この後開口２４に対向して配置されている送風ファン４４へと流れる。
送風ファン４４へと流れる空気は、送風ファン４４の軸方向前方から周囲を羽４４ａに囲まれたファン開口４４ｄの内部へと流下し、送風ファン４４の上方を含む送風ファン４４の径方向へと送風ファン４４の外部に吐き出される。
【００５７】
送風ファン４４から吐き出された空気は、後ケース４０に仕切板４５により導かれ、ルーバー４６を通過する際に風向が整えられ、空気吹出口４２から空気清浄機Ａの上方向に向けて、空気清浄機Ａの内部から清浄空気として吹き出す。
このように通風路Ｒは、空気吸込口１１から水平方向に空気清浄機本体の後部へと繋がり、この後部で上方へと向きを変えて空気吹出口４２へと至る風路である。
【００５８】
つまり、通風路Ｒは、空気の流れを基準に見ると、脱臭エレメント６２の上流側に、プレフィルター１３やＨＥＰＡフィルター１２などの塵埃濾過フィルターが配置され、脱臭エレメント６２の下流側で、空気の流れの向きを上方に屈曲して変える位置である屈曲部が形成されている。この屈曲部に送風ファン４４であるシロッコファンが位置している。
このシロッコファンは、ファンの回転軸方向から空気を取り込み、ファンの径方向へと取り込んだ空気を吐き出すので、室内空気を本体ケースＣの前面から後方への直線的な流れを作り出すと共に、吹出口４２に向けて効率よく風の向きを変えることができる。
【００５９】
尚、脱臭エレメント６２，プレフィルター１３，ＨＥＰＡフィルター１２，送風ファン４４の開口４４ｄの前面は、通風路Ｒを流れる空気の向きに対して、垂直な向きに配置されている。
これにより、脱臭エレメントまで空気の流れがまっすぐで、各フィルター面に垂直に空気が当たるので空気の流れがよい構成となっている。
【００６０】
ここで、開口６５ａの位置は、本体ケースＣの正面の上下方向の中央に位置し、本体ケースＣの正面視における投影面積Ｘと、開口６５ａの正面視における面積Ｙとの関係が、
Ｙ≧０．６Ｘ
となるように構成されている。
【００６１】
次に、以上のように、空気清浄運転（脱臭運転）したことにより、多くの臭気を吸着して脱臭性能が低下した脱臭エレメント６２の脱臭性能を回復させるための動作（再生動作）について説明する。
制御部４７は、所定のタイミング、例えば、運転開始又は前回行った脱臭エレメント６２の脱臭性能回復動作からの累積運転時間が所定の時間を超えた場合、次のように脱臭性能回復動作を行う。好ましくは、２４時間に１回以上の脱臭性能回復動作を行う。
【００６２】
送風ファン４４が停止している状態、つまり、空気清浄機Ａが空気清浄運転を終えた後、又は、空気清浄運転を行っていない状態において、制御部４７はヒーターユニット６３ａに対して通電を行うことで、ヒーターユニット６３ａを発熱させ、ヒーターユニット６３ａと対向している脱臭エレメント６２の部位を所定の温度まで上昇させて、所定の時間加熱する。
この脱臭エレメント６２の加熱温度及び加熱時間は、脱臭エレメント６２に吸着した臭気を除去させるのに十分な温度と時間である。尚、加熱ユニット６３と脱臭エレメント６２は空気を介して対向しているため、加熱ユニット６３に入力する温度と脱臭エレメント６２の温度には差異が生じる。これは空気層で冷却されるためであり、この分を加味した温度を加熱する必要がある。
【００６３】
次に、脱臭エレメント６２の脱臭性能を回復させるために所定温度αまで上昇させる際の制御動作と脱臭エレメントの温度特性を図１１に示す。
本実施の形態１では、脱臭部材の温度が、吸着剤に吸着された臭気成分を除去するのに適した温度域のうち、その最低温度（以降、注目温度と称する）を越えた場合においても、空気清浄機において吸着剤の機能を効率良く回復させるために、以下のような制御を行う。
具体的には、脱臭エレメント６２を所定温度αまで上昇させる間に、複数回ヒーターユニット６３ａへの通電を一時的に停止させて脱臭エレメント６２への加熱を中断する。通電の停止は、例えば、所定温度αに至るまでの間で予め設定した設定温度ａ、ｂに到達した際に実施される。そして、加熱を中断した際、加熱ユニット６３に配置される温度検出手段（図示せず）により温度を検出し、急激な温度上昇がないことを確認する。上記中断時間は、例えば４、５分程度行う。
【００６４】
ここでいう急激な温度上昇とは、例えば１０秒あたり３〜５℃上昇するヒーターユニット６３ａを用いた場合に、温度検出手段の検出温度が、上記と同等あるいはそれ以上の速度で温度が上昇することである。脱臭エレメント６２はヒーターユニット６３ａにより加熱されるため、通常であれば、ヒーターユニット６３ａへの通電が停止した段階で余熱による温度上昇は起こりうるが、ヒーターユニット６３ａ以上の速度で昇温することは起こりにくいため、上記上昇温度を急激な温度上昇と考える。
【００６５】
このように、温度検出手段が、急激な温度上昇を検出した場合には直ちに加熱ユニット６３を停止させて再生動作を終了し、空気清浄機使用者にエラーメッセージを発信するなどして報知する。急激な温度上昇を検出しなかった場合にはヒーターユニット６３ａへの通電を再開する。所定温度α到達後も、所定時間α´経過までヒーターユニット６３ａへの通電と通電停止、及び急激な温度上昇の検知動作（ヒーターユニット６３ａへの通電を停止した後、急激な温度上昇の有無を検知する動作）を繰り返す。
【００６６】
尚、所定時間α´の長さは、空気清浄機の使用環境の温度や脱臭対象臭気、脱臭エレメントへの触媒の添着有無やその種類などを鑑みて決定するものであり、その開始時間は脱臭性能回復動作開始時、あるいは所定温度α到達時とし、その終了時間は脱臭性能回復動作終了時とする。
【００６７】
次に、図１２の脱臭エレメントの再生動作フローチャートを用いて、制御手段の具体的な制御方法について説明する。
まず、再生動作開始後、ステップＳ１においてヒーターユニット６３ａへの通電を開始させる。
次に、ステップＳ２において温度検出手段の検出温度と設定温度ａとを比較して、設定温度ａ以下の場合は（ＮＯ）ステップＳ２に戻る。一方、設定温度ａ以上となった場合は（ＹＥＳ）、ステップＳ３に移行してヒーターユニット６３ａへの通電を停止させる。
【００６８】
次に、ステップＳ４に移行して、温度検出手段の温度に基づき上記で定義した急激な温度上昇であるかを判断し、急激な温度上昇を検出した場合（ＹＥＳ）、ステップＳ１６に移行してエラーを報知する。一方、急激な温度上昇を検出しなかった場合（ＮＯ）は、次のステップＳ５に移行してヒーターユニット６３ａへの通電を開始する。
【００６９】
次に、ステップＳ６に移行し、温度検出手段の検出温度と設定温度ｂとを比較して、設定温度ｂ以下の場合は（ＮＯ）ステップＳ６に戻る。一方、設定温度ａ以上となった場合は（ＹＥＳ）、ステップＳ７に移行してヒーターユニット６３ａへの通電を停止させる。
次に、ステップＳ８に移行して、温度検出手段の温度に基づき上記で定義した急激な温度上昇であるかを判断し、急激な温度上昇を検出した場合（ＹＥＳ）、ステップＳ１６に移行してエラーを報知する。一方、急激な温度上昇を検出しなかった場合（ＮＯ）は、次のステップＳ９に移行してヒーターユニット６３ａへの通電を開始する。
【００７０】
次に、ステップＳ１０に移行し、温度検出手段の検出温度と設定温度αとを比較して、設定温度α以下の場合は（ＮＯ）ステップＳ１０に戻る。一方、設定温度α以上となった場合は（ＹＥＳ）、ステップＳ１１に移行してヒーターユニット６３ａへの通電を停止させる。
次に、ステップＳ１２に移行して、温度検出手段の温度に基づき上記で定義した急激な温度上昇であるかを判断し、急激な温度上昇を検出した場合（ＹＥＳ）、ステップＳ１６に移行してエラーを報知する。一方、急激な温度上昇を検出しなかった場合（ＮＯ）は、次のステップＳ１３に移行する。
【００７１】
ステップＳ１３では、温度検出手段の検出温度と設定温度αとを比較して、設定温度α以上の場合は（ＮＯ）ステップＳ１３に戻る。一方、設定温度α以下となった場合は（ＹＥＳ）、次のステップＳ１４に移行してヒーターユニット６３ａへのを通電開始させる。
次に、ステップＳ１５に移行し、所定時間α’経過したか判断する。そして、所定時間α’経過していない場合（ＮＯ）ステップＳ１０に戻る。一方、所定時間α’経過した場合（ＹＥＳ）、再生動作を終了する。
以上の制御を行うことにより、図１１に示すように脱臭手段の時間に対する温度特性を得ることが出来る。
尚、上記説明では、所定時間α‘を再生動作の起動からの経過時間として説明したが、設定温度αに達してからの経過時間としても良い。
【００７２】
尚、図１１では所定温度αへ到達するまでの間に２回の急激な温度上昇の検知動作を図示したが、この回数、つまり設定温度を何回設けるかは空気清浄機の使用環境や処理対象とする物質の物性値などにより任意の温度にて任意の回数行われるものである。所定温度αが高温であるほど、急激な温度上昇の検知動作の回数を多くすることが好ましい。例えば、空気清浄機をアセトアルデヒドの多い環境で使用し、所定温度αがアセトアルデヒドの注目温度以上の場合、設定温度を注目温度の５０〜６０％、７５〜８５％、９０〜９８％値として３段階で設けて、急激な温度上昇の検知動作を複数回行いながら段階的に加熱する。例えば、所定温度αが注目温度以下の場合、設定温度を注目温度の３５〜４５％、５０〜６０％値として２段階で設けることなどが考えられる。
上記設定温度は一つの例示であり、注目温度に対する具体的な割合数値は、所定温度αが注目温度に対して上方か下方か、処理対象とする物質の物性値を鑑みて決定するものであり、任意に決定される。
【００７３】
本実施の形態においては、再生動作中の送風ファン４４の動作は停止した状態である。特に、所定温度α到達後には脱臭エレメント６２を効率的に加熱させるために送風ファン４４を停止させることが好ましい。
【００７４】
尚、脱臭エレメント６２の加熱される部位は、前面側が熱の放射率を向上させる塗装が施されている蓋体６３ｄに覆われ、後面側が加熱ユニット６３（ヒーターユニット６３ａ）に覆われるので、ヒーターユニット６３ａから生ずる熱と、蓋体６３ｄから放射される熱により、効率よく脱臭エレメント６２を加熱することができる。
また、脱臭エレメント６２は、ヒーターユニット６３ａと蓋体６３ｄに挟まれて位置しているので、これら部材から放射される熱が、脱臭エレメント６２の近傍に留まりやすく、より効率よく脱臭エレメント６２を加熱することができる。
【００７５】
次に、上記のように、加熱ユニット６３と対向する部位の脱臭性能回復動作が終了すると、制御部４７は脱臭ユニット６２を回動させる駆動手段６４を動作させて、脱臭ユニット６２を所定の角度だけ回転させる。
この動作により、加熱ユニット６３と対向していた脱臭エレメント６２の加熱処理が終了した部位が、加熱エレメント６３に対して回転方向にずれる。
これにより、加熱処理が完了している脱臭ユニット６２の部位が、加熱ユニット６３と蓋体６３ｄに挟まれた位置から外れると共に、新たに臭気を多く吸着した脱臭エレメント６２の部位が、加熱ユニット６３と蓋体６３ｄに挟まれた部位に位置することとなる。
【００７６】
尚、脱臭ユニット６２を回転させる角度は、扇形状であるヒーターユニット６３ａの開角と同じか、又は、この開角より小さい角度がよい。このように回転角度を設定することで、脱臭ユニット６２が１周回転する内に、脱臭ユニット６２のいずれの部位も、必ずヒーターユニット６３ａの前に留まり加熱処理されることになる。
また、脱臭ユニット６２を動かすタイミングは、加熱処理の後、直ぐに行ってもよく、また、次に行う空気清浄運転の直前に行ってもよい。
【００７７】
以上のように空気清浄機Ａの各部を構成することにより、次のような効果を得ることができる。
まず、（１）脱臭エレメント６２に吸着されていた物質の注目温度が、所定温度αより高い場合について考える。
本実施の形態のように、脱臭エレメント６２の再生動作において、脱臭エレメントの再生に必要な所定温度αに上昇させるまでの間に急激な温度上昇の検知動作を実施することで、あらかじめ注目温度以下の温度（設定温度αより低いａ、ｂ等）で、脱臭エレメント６２に対する加熱を一旦停止して吸着されていた物質を加熱して分解させた後に遠方に拡散させるため、注目温度に達した際には、すでに吸着されていた物質が大部分放出されて、この吸着物質による急激な温度上昇が生ずることを減少させることが出来る。
【００７８】
この効果を具体的に説明すると、図１３には、エタノールを飽和吸着させた脱臭エレメント６２を密閉空間内にて１００℃で加熱した際のエタノール濃度、及び、１００℃加熱後に空間内空気を送風ファンにより置換して２００℃以上まで加熱して所定時間経過した後のエタノール濃度を測定した結果を示した。これによれば、予め低温加熱により脱臭エレメント６２に吸着していたエタノールを放出することで、高温に昇温した際の残存量が減少している。このような傾向は、アンモニアの他、アルコール類やエーテル化合物等に対しても同様に得られた。
このことより、予め低い温度で加熱して吸着物質を段階的に放出することにより、一度に加熱して吸着物質を放出することで、注目温度近くなったときに吸着物質の残存量が減少しているので、急激な温度上昇を起こしにくくなることが分かる。また、加熱を停止して急激な温度上昇の有無を検知するため、発熱反応による急激な温度上昇を事前に防ぐことが出来る
【００７９】
次に、（２）脱臭エレメント６２に吸着されていた物質の注目温度が、所定温度αより低い場合について考える。
特に、脱臭エレメント６２に触媒が担持された場合には、吸着した臭気成分が加熱により酸化分解される際に発熱する可能性がある。それにより、設定温度αが注目温度以下であっても、この発熱反応により注目温度以上になる可能性がある。この場合も、上記のように、設定温度以下で加熱を停止して反応熱を放出させることで、急激な温度上昇を伴う発熱反応を防止することができる。また、加熱を停止して急激な温度上昇の有無を検知するため、発熱反応による急激な温度上昇を事前に防ぐことが出来る。
【００８０】
脱臭エレメント６２の再生動作は、２４時間に１回以上など適度な間隔で実施することで、脱臭エレメント６２に吸着した物質を除放しやすくなるため、急激な温度上昇の発生を抑制することができる。吸着物質が蓄積するほど、ヒーターユニット６３ａを同温度に加熱した場合においても、酸化分解反応による発熱量が増加することから急激な温度上昇が発生しやすくなるためである。
【００８１】
脱臭エレメント６２と、この脱臭エレメント６２を局部的に加熱する加熱ユニット６３との相対位置関係を変更可能に構成することにより、加熱ユニット６３を小型化することができる。
この加熱ユニット６３の小型化のメリットは、例えば、脱臭エレメント６２の全域を確実に加熱処理できるように、脱臭エレメント６２の全域に対面するような、大型のヒーターを配置する必要がなく、構造の簡略化やコスト低減を可能とする。
【００８２】
また、加熱ユニット６３と脱臭エレメント６２の相対位置関係を変更可能であるので、脱臭エレメント６２の全域を脱臭するにあたり、脱臭エレメント６２と加熱ユニット６３の対向する部位を変更すればよく、加熱ユニット６３は脱臭エレメント６２の全域を覆う必要がない。
つまり、常に脱臭エレメント６２が加熱ユニット６３と対向する部位は、限られた部分で済むことから、加熱ユニット６３が脱臭エレメント６２を流れる空気の流れの妨げを最小限ですむ。これにより、脱臭エレメント６２に対して、より多くの空気を流すことが可能であり、より多くの臭気を一度に空気中から取り除くことができる。
【００８３】
更に、脱臭エレメント６２と加熱ユニット６３の相対位置関係を変更できるので、脱臭エレメント６２の各部位に対して、確実に加熱ユニット６３を対向させて加熱することが可能である。
これにより、脱臭エレメント６２の各部位間の加熱ムラを少なくでき、脱臭エレメント６２の脱臭能力を効率よく回復することが可能である。
【００８４】
次に、空気清浄機Ａの吸込口１１は本体の前面に形成され、吹出口４２は本体の側面、天面、又は背面のいずれかに形成されている。
このように構成することにより、臭気の発生源に対して、大きく開口する吸込口１１を対向しやすいので、より速く臭気を吸込み、室内空気から臭気を除去することができる。
また、吹出口１１が本体の側面、天面、又は背面のいずれかに形成されるので、臭気の発生源に清浄された空気が流れ難く、臭気の拡散を防止することができる。
【００８５】
次に、脱臭エレメント６２は、本体ケースＣに回動可能に支持され、加熱ユニット６３は、脱臭エレメント６２の表面に近接して本体ケースＣに固定されている。
これにより、ヒーターユニット６３ａ発熱する部位である加熱ユニット６３が本体ケースＣの内部を動かないことから、発熱させるための電源を供給する配線の取り回しや高温の部位が本体ケースＣの内部で位置を変えることによる本体ケースＣ内部の広範囲にわたる熱対策を考慮する必要がない。
また、脱臭エレメント６２が回動することで、加熱ユニット６３と対向する面を変えるので、１つの方向にだけ脱臭エレメント６２を動かすだけで、ムラ無く脱臭エレメント６２の全面を加熱ユニット６３に対向させることができる。
【００８６】
次に、脱臭エレメント６２の形状は円板形状であるので、脱臭エレメント６２の回転軸方向から見た面積に対して、脱臭エレメント６２が回転する回転領域を最小にすることができる。
つまり、本体ケースＣの内部の脱臭エレメント６２の配置領域を小さくすることができる。
【００８７】
また、脱臭エレメント６２は回転することで加熱ユニット６３と対向する面を変えることから、脱臭エレメント６２の形状が円板形状であれば、加熱ユニット６３のヒーターユニット６３ａは、脱臭エレメント６２の直径方向の大きさが、少なくとも脱臭エレメント６２の回転半径と同じか、これより小さいもので、脱臭エレメント６２の多くの領域を加熱することが可能である。
【００８８】
更に、脱臭エレメント６２の形状が円板形状であるので、上記の効果を実現する構成を有しながらも、円形状は矩形の開口である本体ケースＣの開口面積に対して、最も大きな領域を形成することが可能であることから、脱臭を可能とする領域をより大きく形成することができる。
これにより、より多くの空気が脱臭エレメント６２を通って流れることができるので、脱臭力を維持しながら風量を大きくすることができる。
【００８９】
次に、脱臭エレメント６２には、アンモニアの吸着、及び酸化分解機能がある触媒を表面に塗布又は含浸させている。これにより、ペット臭や病院や介護施設や介護現場などにおける介護臭をすばやく脱臭するとともに、加熱により効率的に酸化分解することが可能な空気清浄機を構成することが可能となる。
特に本実施の形態であれば、短時間の間に、より多くの空気から臭気を取り除くことができるので、病院や介護施設など多くの人が利用する場所における介護などの臭いのトラブルを迅速に解決することが可能である。
【００９０】
次に、送風手段である送風ファンは通風路内部に位置し、脱臭エレメント６２は、通風路Ｒの中で送風ファン４４の上流側に位置し、送風ファン４４と脱臭エレメント６２の間に、加熱ユニット６３が位置している。
このように構成されているので、脱臭エレメント６２と送風ファン４４の開口４４ｄの周囲で生じる圧損（空気の流れの損失）を低減するために設けられたスペースを、加熱ユニット６３の配置位置として用いることができる。
【００９１】
次に、加熱ユニット６３は、脱臭エレメント６２に対向する側が開口し、所定の内部空間を有するケース６３ｂと、このケース６３ｂ内部空間に位置し開口を通じて熱を放射する電気ヒーターユニット６３ａとを備え、ヒーターユニット６３ａは、所定時間通電された場合、脱臭エレメント６２の対向した部分を所定温度まで上昇させることができる加熱能力に設定してある。これにより、脱臭エレメント６２に吸着した臭気を除去することが可能である。
また、上記のケース６３ｂの形状は扇形となっている。これにより、脱臭エレメント６２を覆う面積を必要最小限とすることができる。尚、扇形の開角は、脱臭エレメント６２を回転させる際の１回の回転角度を目安に構成されている。
【００９２】
次に、制御部４７には、位置変更手段である駆動手段６４を所定のタイミングで駆動して、脱臭エレメント６２を回動させる制御プログラムを内蔵している。
これにより、脱臭エレメント６２を加熱する際に、制御部４７により自動的に脱臭エレメント６２の脱臭すべき部位を加熱ユニット６３に対向することができる。
【００９３】
また、上記の制御プログラムは、駆動手段６４を所定のタイミングで駆動して脱臭エレメントを所定の回転角度だけ回動した後停止させ、その停止状態で加熱ユニットを所定時間通電する処理ステップを有する。
これにより、脱臭エレメント６２の回転から加熱に至る一連の動作を制御部４７により自動的に行うことができる。
【００９４】
次に、通風路Ｒには、脱臭エレメント６２より上流側に塵埃濾過フィルター１２，１３が設置されており、本体ケースＣの前面には、通気性を有する枠体である前パネル１０が着脱可能に取り付けられ、この枠体を本体ケースＣから取り外した状態で、塵埃濾過フィルターを本体ケースＣ前方に取り出すことが可能な構成である。
このように構成することにより、本体ケースＣの前側から塵埃濾過フィルターを着脱することができるので、大きめな塵埃が付着しやすい塵埃濾過フィルターのメンテナンス性を向上することができる。
【００９５】
次に、通風路Ｒは、脱臭エレメント６２の下流側で上方に屈曲していると共に、この屈曲部に送風ファン４４を配置し、この送風ファン４４は、水平方向に伸びる回転軸を中心に回転し、本体ケースＣの正面側から導入した空気を上方へも送り出す多翼式ファンである。
このような多翼式ファン（シロッコファン）は、ファンの回転軸方向から空気を取り込み、ファンの径方向へと取り込んだ空気を吐き出すので、室内空気を本体ケースＣの前面から後方への直線的な流れを作り出すと共に、吹出口４２に向けて効率よく風の向きを変えることができる。
【００９６】
次に、加熱ユニット６３は、脱臭エレメント６２の回転中心より下側に位置するように本体に取付けられている。
このように、ヒーターユニット６３ａなどを有するある程度重量がある加熱ユニットを低い位置に配置することで、空気清浄機Ａの重心を低くすることができる。これにより、床面に安定して設置することができる空気清浄機Ａを構成することができる。
【００９７】
この他に、開口６５ａの位置は、本体ケースＣの正面の上下方向の中央に位置し、本体ケースＣの正面視における投影面積Ａと、吸込口の正面視における面積Ｂとの関係が、
「Ｂ≧０．６Ａ」
となるように構成されている。
この関係は、本体ケースＣの正面視の面積に対して、開口６５ａ吸込口が室内空気を最大限取り込める関係であり、より室内空気を多く取り込み脱臭エレメント６２へ流すことが可能な空気清浄機を構成することができる。
【００９８】
（実施の形態２）
図１４は発明の実施の形態２における空気清浄機の運転制御を示した図である。尚、装置の基本的な構成は実施の形態１と同様であり、重複事項の説明は省略する。
【００９９】
次に、実施の形態２における動作を説明する。
実施の形態２では、再生動作開始時に送風ファン４４を稼動させ、設定温度に到達時に停止させて急激な温度上昇検知動作中においては送風ファン４４を停止させた状態とする。急激な温度上昇がなくヒーターユニット６３ａでの加熱を再開した場合には、次の設定温度或いは所定温度α到達時まで送風ファン４４を稼動させ、設定温度或いは所定温度α到達時には停止させる。
尚、その他の動作は実施の形態１と同様に動作する。
【０１００】
以上で説明した実施の形態２によれば、設定温度までの昇温により脱臭エレメント６２から発生した物質を送風することで急激な温度上昇の発生を抑制できる。
また、急激な温度上昇の検知動作中に温度検知部位（図示せず）が送風により冷却されないことから、急激な温度上昇の発生有無をより早い段階で検知することができる。万が一、急激な温度上昇が発生した場合においても、設定温度が低い状態であるほど脱臭エレメント６２から脱離する物質の量も少ないことから、急激な温度上昇を伴う発熱反応を防止することができる。また、加熱を停止して急激な温度上昇の有無を検知するため、発熱反応による急激な温度上昇を事前に防ぐことが出来る。
【０１０１】
（実施の形態３）
図１５は発明の実施の形態３における空気清浄機の運転制御を示した図である。尚、装置の基本的な構成は実施の形態１と同様であり、重複事項の説明は省略する。
【０１０２】
次に、実施の形態３における動作を説明する。
実施の形態３では、再生動作開始時に送風ファン４４は停止状態、設定温度に到達時に稼動させて急激な温度上昇検知動作中においては送風ファン４４を稼動させた状態とする。急激な温度上昇がなくヒーターユニット６３ａでの加熱を再開した場合には、次の設定温度或いは所定温度α到達時まで送風ファン４４を停止させ、次の設定温度到達時には稼動、所定温度α到達時にはそのまま停止状態を継続させる。
尚、その他の動作は実施の形態１と同様に動作する。
【０１０３】
以上で説明した実施の形態３によれば、再生動作開始時に送風ファン４４を停止することにより短時間での昇温が可能であり、消費電力量を抑制することができる。その後、設定温度到達後の急激な温度上昇の検出動作時に送風ファン４４を稼動することで脱臭エレメント６２より脱離した物質の拡散を促進することが可能であり、急激な温度上昇が発生した場合においても送風により冷却されることから、急激な温度上昇を伴う発熱反応を防止することができる。また、加熱を停止して急激な温度上昇の有無を検知するため、発熱反応による急激な温度上昇を事前に防ぐことが出来る。
【０１０４】
いずれの実施の形態を選択するかは、空気清浄機の使用環境の温度や脱臭対象臭気、脱臭エレメントへの触媒の添着有無やその種類などによるものであり、以上の条件を鑑みて任意に決定する。
尚、脱臭性能回復動作中の所定温度α到達後、送風ファン４４を停止させることで一定の温度を維持しやすいという利点がある一方、脱臭性能回復動作中に放出された物質が加熱ユニット６３周辺に蓄積して濃度が増加し、触媒との反応による放出熱によって空気と反応可能な混合物を作ることが出来る最低温度に到達してしまう可能性もある。これは特に、脱臭性能回復動作にかかる所定時間α´が長いほど起こる可能性が高い。そこで、所定温度αに到達後、脱臭性能回復動作が終了する前に送風ファン４４を再稼動させて脱臭エレメント６２より放出された物質を加熱ユニット６３周辺から強制的に除去し、放出物質の拡散を促進することが有効である。本制御は、何れの実施の形態においても適用できるものであり、その適用要否は、上記同様、空気清浄機の製品の全体構成により決定されるものであり、それぞれの条件を鑑みて任意に決定する。
また、実施の形態１から３として記載したが、これらの実施の形態は単なる一例でありこれらに限定されることはない。また、各実施の形態は適宜組み合わせて実施されても構わない。
【符号の説明】
【０１０５】
Ａ  空気清浄機、Ｃ  本体ケース、Ｒ  通風路
１０  前パネル、１１  空気吸込口、１２  ＨＥＰＡフィルター、１３  プレフィルター、
２０  前ケース、２１  フレーム、２３  仕切板、２６  操作部、
４０  後ケース、４２  空気吹出口、４４  送風ファン、４５  仕切板、４６  ルーバー、４６ａ  風向板、４６ｃ  リンク機構、４７  制御部、
６０  脱臭部、６１  枠体、６２  脱臭エレメント、６３  加熱ユニット、
６４  駆動手段、６５  中仕切板、６５ｄ  蓋体、６６  断熱材、６７  カバー、
９０  車輪、９１  ハンドル、９１ａ  握り部
【要約】
【課題】効率よく室内空気の臭気を減少させることができ、また、効率よく臭気を吸着する吸着剤の機能を回復することが可能な空気清浄機を提供すること。
【解決手段】加熱ユニットと脱臭エレメントの相対的位置関係を変更する位置変更手段と、送風手段と加熱ユニットと前記位置変更手段の通電と動作を制御する制御手段と、を備え、前記制御手段は、前記脱臭エレメントの脱臭性能の回復に必要な温度に昇温させるまでの間に、１ないし複数回、前記加熱ユニットの通電を停止させるように構成すれば良い。
【選択図】図１１【図１】
0005201275.tif 000002
【図２】
0005201275.tif 000003
【図３】
0005201275.tif 000004
【図４】
0005201275.tif 000005
【図５】
0005201275.tif 000006
【図６】
0005201275.tif 000007
【図７】
0005201275.tif 000008
【図８】
0005201275.tif 000009
【図９】
0005201275.tif 000010
【図１０】
0005201275.tif 000011
【図１１】
0005201275.tif 000012
【図１２】
0005201275.tif 000013
【図１３】
0005201275.tif 000014
【図１４】
0005201275.tif 000015
【図１５】
0005201275.tif 000016